(57)【要約】      （修正有）【課題】ユーザが指定する条件に合致した情報の存在を、無線端末の電話機能を利用してユーザに通知するアクセスポイントを提供する。【解決手段】アクセスポイント１００は、自身に帰属している無線端末２００のユーザが指定したインターネット／イントラネット３００上のサーバ内の情報を、ユーザが指定する条件に基づいて検索し、条件を満足する情報の存在をユーザが指定する方法、例えば無線端末の着信鳴動やＬＥＤの点灯、点滅、ＬＣＤへの表示、音声呼び出しなどの着信に係わるシーケンスで無線端末２００へ通知する。【選択図】図１
2010154401.tif 000002
【特許請求の範囲】
【請求項１】
ネットワークと無線端末との間の通信を制御するアクセスポイントであって、
ネットワークを介して所定の情報を検索するための検索条件と検索した情報の存在を通知する条件を含む情報検索通知条件を自アクセスポイントに帰属する無線端末と対応付けて登録する情報検索通知条件登録手段と、
情報通知方法を前記無線端末と対応付けて登録する情報通知方法登録手段と、
情報転送方法を前記無線端末と対応付けて登録する情報転送方法登録手段と、
前記情報検索通知条件および前記情報通知方法および前記情報転送方法を前記無線端末が自アクセスポイントに帰属する毎に受信して更新する帰属時登録更新手段と、
ネットワークを介して定期または非定期に所定の情報源にアクセスして収集した情報群または自アクセスポイントに配信される情報群の中に該情報検索通知条件登録手段に登録されている情報検索通知条件を満足する検索情報の有無を判定する検索情報判定手段と、を有し、
前記検索情報判定手段が前記情報検索通知条件を満足する検索情報が有ると判定した場合に、当該情報検索通知条件に対応する無線端末へ、前記情報通知方法に従って前記検索情報の存在を通知すると共に、
前記無線端末に対応する前記情報転送方法または当該無線端末からの操作信号に従って、前記検索情報の一部または全てまたは当該検索情報に関連付けられたアドレスに存在する別の情報を取得して、前記情報転送方法が指定する宛先へ転送することを特徴とする情報存在通知機能付きアクセスポイント。
【請求項２】
請求項１に記載のアクセスポイントであって、
前記検索情報の一部または全てまたは当該検索情報に関連付けられたアドレスに存在する別の情報を前記情報転送方法が指定する宛先へ転送する際に、当該情報の出力形態を変換する情報変換手段をさらに有し、
前記検索情報の転送先がプリンタまたはファクシミリまたは電子メールまたはディスプレイのいずれかの情報出力装置であった場合に、前記情報変換手段は、前記情報出力装置の種別に対応して当該情報の出力形態を変換することを特徴とする情報検索通知機能付きアクセスポイント。
【請求項３】
請求項１に記載のアクセスポイントであって、
前記検索情報の存在を通知する通知シーケンスは、前記無線端末の電話機能に係わるシーケンスであり、前記アクセスポイントは前記無線端末への呼制御を擬似的に行う疑似呼制御機能を更に有し、着信通知に係る呼制御信号に前記検索情報の存在を示すデータを挿入することを特徴とする情報存在通知機能付きアクセスポイント。
【請求項４】
アクセスポイントに帰属してネットワークとの通信を行う無線端末であって、
前記無線端末は、前記アクセスポイントに帰属する毎に、前記ネットワークを介して取得する情報に関し、検索条件と検索した情報の存在を通知する条件を含む情報検索通知条件と情報通知方法と情報転送方法の登録を行う帰属時登録手段を有することを特徴とする無線端末。
【発明の詳細な説明】
【技術分野】
【０００１】
本発明は、ネットワークに接続されたアクセスポイントと無線端末で構成されるシステムにおいて、インターネットまたはイントラネットを介して所定の情報を収集して配下の無線端末に必要な情報を通知する機能を有するアクセスポイントと、情報通知の条件をアクセスポイントに登録する無線端末に関する。
【背景技術】
【０００２】
特許文献１には、ニュース等のリアルタイム情報をインターネット上のサーバから取得して、表示器を有する電話端末に表示する技術が開示されている。この技術では、ディジタル交換装置が、インターネット上のサーバに定期的にリアルタイム情報の取得要求を送信し、その結果受信したリアルタイム情報を配下の電話端末の表示器で表示可能なフォーマットに変換して一時的に保存し、保存したリアルタイム情報を電話端末に送信して表示させる。これにより、従来の構内交換システムのように、電話番号や時刻、動作状況といった自システム内のクローズされた情報の表示だけでなく、インターネット上の情報を、データ端末などを用いない簡易な方法で表示させることを可能にしている。また、電話端末からの情報取得指示により、保存したリアルタイム情報を電話端末に送信する方法や、新たなリアルタイム情報を取得した場合に、電話端末の状態（通話中か否かなど）に応じて、このリアルタイム情報を電話端末に送信するか否かを選択する技術も開示されている。
【特許文献１】特開２００３−７００３６号公報
【発明の開示】
【発明が解決しようとする課題】
【０００３】
しかしながら、特許文献１のような、インターネット上の特定の場所にある情報を、そのまま表示または情報をリスト化して表示するだけでは、ユーザの必要とする情報は他の多くの不要な情報に埋もれてしまう恐れがある。また、特許文献１では、電話端末で表示可能なフォーマットに変換したり、電話端末の状態に応じてリアルタイム情報を通知するか否かを判断する機能は開示されているが、情報自体の内容に応じて判断したり、通知方法を決定する技術は開示されていない。
【０００４】
本発明は上記事情に鑑みてなされたものであり、本発明の目的は、ユーザが指定する条件に合致した情報の存在を、無線端末の機能を利用したユーザの希望する方法でタイムリーに通知するサービスを提供することにある。
【課題を解決するための手段】
【０００５】
上記課題を解決するために、本発明において、無線端末を配下に接続して制御を行うアクセスポイントが、予めユーザによって指定されているインターネットやイントラネット上のサーバアドレスに存在する情報を検索し、予めユーザによって指定されている条件を満たした情報が存在する場合に、無線端末に対する機能を利用して情報の存在を通知する。例えば特定のキーワードが、検索した情報に含まれているか否か、情報の日時や価格などの数値が検索条件の数値式を満足するか否かを判定する。
【０００６】
また、通知方法については、例えば無線端末の有する電話機能を利用する。複数ある着信鳴動音の一つであったり、本来は電話機能における外線および内線の捕捉や、着信を示すために割り当てられるボタンと一体化したＬＥＤの点灯、点滅表示であったり、音声呼び出し機能を利用した音声通知であったりする。検索した情報自体は、予め指定された装置に自動的に転送するか、ユーザが行う無線端末の操作によって転送する。
【０００７】
このために、本発明は、ネットワークと無線端末との間の通信を制御するアクセスポイントであって、ネットワークを介して所定の情報を検索するための検索条件と検索した情報の存在を通知する条件を含む情報検索通知条件を自アクセスポイントに帰属する無線端末と対応付けて登録する情報検索通知条件登録手段と、情報通知方法を前記無線端末と対応付けて登録する情報通知方法登録手段と、情報転送方法を前記無線端末と対応付けて登録する情報転送方法登録手段と、前記情報検索通知条件および前記情報通知方法および前記情報転送方法は前記無線端末が自アクセスポイントに帰属する毎に受信して更新する帰属時登録更新手段と、ネットワークを介して定期または非定期に所定の情報源にアクセスして収集した情報群または自アクセスポイントに配信される情報群の中に該情報検索通知条件登録手段に登録されている情報検索通知条件を満足する検索情報の有無を判定する検索情報判定手段とを有し、前記検索情報判定手段が前記情報検索通知条件を満足する検索情報が有ると判定した場合に、当該情報検索通知条件に対応する無線端末へ、前記情報通知方法に従って前記検索情報の存在を通知すると共に、前記無線端末に対応する前記情報転送方法または当該無線端末からの操作信号に従って、前記検索情報の一部または全てまたは当該検索情報に関連付けられたアドレスに存在する別の情報を取得して、前記情報転送方法が指定する宛先へ転送することを特徴とする。
【発明の効果】
【０００８】
本発明によれば、アクセスポイントは無線端末が帰属すると、インターネットやイントラネット上から特定の情報を取得し、ユーザが指定した条件に合致した場合に限り、ユーザの希望する通知方法でその情報が存在することを通知する。従って無線端末のユーザは、インターネットやイントラネット上にある無数の情報の中から必要な情報のみを、指定した方法で受けることが出来る。
【発明を実施するための最良の形態】
【０００９】
以下、本発明の実施の形態について説明する。
【００１０】
図１は、本発明の概略システム構成図である。
【００１１】
本システムはアクセスポイント１００と、アクセスポイント１００に帰属する複数の無線端末２００と、ＬＡＮ６００を介して接続される呼制御装置４００からなる電話システムを構成する。呼制御装置４００は、従来のボタン電話システムと同様に、無線端末２００を含む電話端末（非無線端末は図示せず）を内線端末として収容し、主に内外線の発着信制御を行う。また、ＬＡＮ６００には、ＰＣ，ファイルサーバなどのデータ端末７００とプリンタ８００が接続される。更に本システムは、ＬＡＮ６００とルータ／ゲートウェイ５００を介してインターネット／イントラネット３００に接続され、インターネット／イントラネット３００上のＷｅｂサーバ９００や、ファクシミリ１０００との通信を行う。尚、ここでＷｅｂサーバ９００は、検索エンジン機能を有したサーバまたはクラスタリングシステムであってもよい。
【００１２】
アクセスポイント１００は、無線端末２００とＬＡＮ６００を介して接続される呼制御装置４００との間で送受信される呼制御信号および音声信号を中継し、無線端末２００とＬＡＮ６００、ルータ／ゲートウェイ５００、インターネット／イントラネット３００を介してＷｅｂサーバ９００との間で送受信される信号を中継する。ここで呼制御信号とは、無線端末２００の発着信制御に係る信号であり、発信もしくは着信を示す制御信号、ＬＥＤ制御信号、鳴動制御信号、ＬＣＤ表示データなどから構成される信号フレームと、鳴動音データや音声呼び出し用の音声データなどから構成されるデータフレームを意味する。そして、アクセスポイント１００には、無線端末２００のユーザが指定する情報検索通知条件と情報の存在通知方法が登録され、ユーザが指定する条件に基づいてＷｅｂサーバ９００を検索し、その条件に一致する情報が存在するならば、情報の存在通知として、ユーザが指定する通知方法で無線端末２００へ通知する。
【００１３】
ユーザへの通知方法には、例えば無線端末２００が有する電話機能の鳴動やＬＥＤの点灯、点滅、ＬＣＤへの表示、音声呼び出し、バイブレータを用いる。また、通知方法には前述した呼制御信号を自装置で生成して通知する。つまり、アクセスポイント１００が、疑似的に無線端末２００の呼制御を行う。
【００１４】
無線端末２００は、呼制御信号によって制御されるオーディオ出力機能や被表示制御機能を有する。２０１〜２０４は、本発明における情報の存在を通知するために利用する無線端末２００のオーディオ出力機能や被表示制御機能の例を示している。
【００１５】
２０１は通話回線を捕捉するための回線ボタンであり、ＬＥＤによる表示機能を備えている。本発明では、アクセスポイント１００から送信される着信を示す呼制御信号を利用して、ユーザが指定した情報の存在を通知する目的でＬＥＤを点灯または点滅させる。具体的には、ＬＥＤ表示させるボタン位置の指定、点灯もしくは点滅の指定、点灯色の指定、点滅の場合は点滅パターンや周期の指定を行う。
【００１６】
２０２はオーディオ出力機能を実現する内蔵スピーカであり、鳴動音や音声呼び出しの音声を出力する。本発明では、アクセスポイント１００から送信される着信を示す呼制御信号のデータフレームを利用して、受信した鳴動音データや音声データを復号して出力することで、ユーザが指定した情報の存在を通知する。
【００１７】
２０３はＬＣＤであり、ダイヤル番号、着信時の発信者番号、時刻、設定に関する表示を行う。本発明では、アクセスポイント１００が無線端末２００に対し、情報の存在を示す文字やキャラクタを呼制御信号のＬＣＤ表示データで送信し、ＬＣＤ２０３に表示することでユーザが指定した情報の存在を通知する。
【００１８】
さらに、アクセスポイント１００は取得した情報を、無線端末２００の要求に応じて、データ端末７００、プリンタ８００、ファクシミリ１０００へ転送する。２０４は操作キーであり、情報の存在を通知されたユーザが、無線端末２００の操作キー２０４を使用して存在の通知がなされた情報を転送するための操作を行った場合に、アクセスポイント１００は、後述する情報検索通知条件テーブル１１２０の情報転送方法に従い、存在の通知がなされた情報の一部または全部、またはその情報と関連付けられた別の情報（ここでは、ニュース記事に関連した写真や動画像）を、無線端末２００やデータ端末７００（各種サーバ、ネットワークストレージ、ビデオプレーヤなども含む）やプリンタ８００、ファクシミリ１０００に転送する。ユーザの操作内容の通知には、無線端末２００が呼制御装置４００に対して操作キー情報を送信するために使用する呼制御信号を利用する。
【００１９】
次に、アクセスポイント１００について詳しく説明する。
【００２０】
図２は、アクセスポイント１００の機能ブロック図を示している。
【００２１】
図示するように、アクセスポイント１００は、ＬＡＮインターフェース部１０１と、ブリッジ部１０２と、無線インターフェース部１０３と、ユーザインターフェース部１０４と、検索情報取得部１０５と、検索情報判定部１０６と、転送情報取得部１０７と、情報通知部１０８と、情報加工部１０９と、情報変換部１１０と、疑似呼制御部１１１と、登録部１１２と、情報転送部１１３とから構成される。
【００２２】
ＬＡＮインターフェース部１０１は、ＬＡＮ６００に対する通信制御と通信プロトコルを実現するインターフェースである。
【００２３】
ブリッジ部１０２は、無線端末２００と、ＬＡＮ６００に接続される他の装置もしくはインターネット／イントラネット３００を介して接続される装置との通信データを、ＬＡＮインターフェース部１０１と無線インターフェース部１０３の間で中継する。
【００２４】
無線インターフェース部１０３は、複数の無線端末２００に対する通信制御と通信プロトコルを実現するインターフェースである。
【００２５】
ユーザインターフェース部１０４は、各種設定や操作を行うキー入力や音声入出力、モニタ出力を含む入出力制御を行う。
【００２６】
検索情報取得部１０５は、後述する登録部１１２の情報検索通知条件テーブル１１２０の検索場所に指定されているＷｅｂサーバ９００から定期的に情報を取得する。そして、取得した情報を検索情報判定部１０６に渡す。尚、検索方法の詳細については図５で説明する。
【００２７】
検索情報判定部１０６は、検索情報取得部１０５から渡された情報が登録部１１２の情報検索通知条件テーブル１１２０の通知条件（情報記述箇所と判定条件）に一致するか否かと、最新の情報か否かを判定する。通知条件に一致し、かつ最新の情報であれば、その旨を転送情報取得部１０７および情報通知部１０８に通知する。最新の情報か否かの判定は、検索情報取得部１０５から渡された情報に含まれる更新日時を利用する。
【００２８】
転送情報取得部１０７は、登録部１１２の情報検索通知条件テーブル１１２０に登録されている内容に従い、転送する情報を取得する。転送する情報とは、検索情報取得部１０５で取得した情報に含まれる場合と、検索情報取得部１０５で取得した情報に示されているリンク先に存在する場合とがある。前者の場合は、検索情報取得部１０５で取得済みの情報から指定の情報を抜き取る。後者の場合は、ＬＡＮインターフェース部１０１を介してリンク先に直接アクセスしてその情報を取得する。リンク先に直接アクセスする情報とは、例えば検索した情報に関連する画像や音声ファイル、文書ファイルなどがある。
【００２９】
情報通知部１０８は、検索情報判定部１０６から条件に一致した情報が存在する旨の通知を受けた場合に、後述の登録部１１２で指定されている情報の存在通知方法と共に、情報の存在通知の実行を疑似呼制御部１１１に指示する。
【００３０】
情報加工部１０９は、情報そのものを利用して無線端末２００に通知する場合に、その情報を加工する。例えば、情報の一部を定型文に挿入した文字データや、情報の文字データを音声に変換した音声データを生成して、情報通知部１０８に渡す。
【００３１】
情報変換部１１０は、情報検索通知条件テーブル１１２０に登録されている転送先の装置に応じて、情報を変換したりパッケージ化する。転送先は、例えばプリンタ（ここではネットワークプリンタ）やファクシミリ、ネットワーク上の記憶装置や電子メールである。
【００３２】
疑似呼制御部１１１は、情報通知部１０８からの指示に従い呼制御信号を生成し、無線インターフェース部１０３を介して、通知対象の無線端末２００に情報の存在通知を行うための疑似呼制御を実行する。
【００３３】
登録部１１２は、情報検索通知条件テーブル１１２０を有し、無線インターフェース部１０３を介して自装置に帰属する無線端末２００毎に情報検索通知条件が登録される。情報検索通知条件はユーザが予め無線端末２００に設定し、その内容をアクセスポイント１００への帰属時に自動的に送信する。尚、ユーザインターフェース部１０４を介して無線端末２００のユーザが直接登録することもできる。
【００３４】
情報転送部１１３は、情報変換部１１０で変換された情報を転送先の装置に送信するための通信制御を行う。具体的には、転送先がプリンタであれば、対応するプリンタのドライバと、ドライバを起動してプリントアウトを指示するためのソフトウェアがインストールされている。ファクシミリであれば、予め指定された電話番号のファクシミリへ自動発信してファクシミリデータを送信するためのソフトウェアがインストールされている。電子メールであれば、メーラソフトウェアがインストールされている。それらのソフトウェアを起動して、取得した情報を含むデータを送信する。又、情報転送部１１３は、疑似呼制御部１１１を介して受信する無線端末２００の端末操作信号によって動作することもできる。尚、転送先の装置に応じて変換された情報は、情報転送部１１３からＬＡＮインターフェース部１０１、ＬＡＮ６００、ルータ／ゲートウェイ５００を介して、ＬＡＮ６００やインターネット／イントラネット３００の先に接続されている装置に転送される他、無線インターフェース部１０３を介して接続される無線端末２００を含む装置に転送できる。
【００３５】
次に図３を用いて、図２の登録部１１２の情報検索通知条件テーブル１１２０について説明する。情報検索通知条件テーブル１１２０は、無線端末アドレスのフィールド１１２１毎に、情報検索通知条件のフィールド１１２２、情報の存在通知方法のフィールド１１２３、情報転送方法のフィールド１１２４から構成される。
【００３６】
フィールド１１２１は、情報の存在通知を行う対象である無線端末２００のアドレスが登録される。ここではＩＰアドレスを記載したが、呼制御装置４００および疑似呼制御部１１１が管理する内線電話番号であってもよい。
【００３７】
フィールド１１２２は、情報検索通知条件を登録する部分であり、検索する情報が存在する場所と無線端末２００への通知条件が指定される。検索する情報が存在する場所とは、例えばインターネットやイントラネットのＵＲＬであり、通知条件とは、検索する情報の記述箇所と、キーワードと論理条件や、数値と数値条件等である。本例では、インターネットのＷｅｂサイトが、情報の見出しや要約、更新情報、リンク先を公開するＸＭＬ（Ｅｘｔｅｎｓｉｂｌｅ  Ｍａｒｋｕｐ  Ｌａｎｇｕａｇｅ）で記述されたＲＳＳ（Ｒｅｓｏｕｒｃｅ  Ｄｅｓｃｒｉｐｔｉｏｎ  Ｆｒａｍｅｗｏｒｋ  Ｓｉｔｅ  Ｓｕｍｍａｒｙ又は、Ｒｉｃｈ  Ｓｉｔｅ  Ｓｕｍｍａｒｙ又は、Ｒｅａｌｌｙ  Ｓｉｍｐｌｅ  Ｓｙｎｄｉｃａｔｉｏｎ）を対象に記載した。＜＞で囲まれた部分はタグと呼ばれる情報要素を示す部分である。情報要素とは、例えば＜ｔｉｔｌｅ＞タグが示す記述箇所には見出し、＜ｄｅｓｃｒｉｐｔｉｏｎ＞タグが示す記述箇所にはタイトルに関連した記事の要約、＜ｐｕｂＤａｔｅ＞タグが示す記述箇所にはその情報の更新日時、＜ｌｉｎｋ＞タグが示す記述箇所には情報発信元のＵＲＬや関連するＷｅｂサイトのＵＲＬがあり、階層的に記述されている。
【００３８】
フィールド１１２３は、情報の存在通知方法を登録する部分であり、無線端末２００の着信機能に係わる通知種別とパラメータが指定される。
【００３９】
フィールド１１２４は情報転送方法を登録する部分である。転送種別と、転送先を示すアドレスや電話番号、転送する情報が存在する場所が指定される。転送する情報が、通知条件と一致したＲＳＳの中に含まれる場合は、そのＲＳＳの階層にある特定の要素が転送情報として指定される。転送する情報が通知条件と一致したＲＳＳの中に含まれない場合は、転送する情報が存在するＵＲＬを直接指定するか、通知条件と一致したＲＳＳの階層にあるリンク先を示す要素が指定される。リンク先を示す要素にはリンク先のＵＲＬが記述されており、そのＵＲＬにアクセスして情報を取得し転送する。
【００４０】
図３に示す登録内容を例にして具体的な動作について説明する。
【００４１】
レコード１１２５およびレコード１１２６は、１７２．１６．１．１のＩＰアドレスを持つ無線端末２００に対する、２つの情報の存在通知と情報転送に係わる内容が登録されている。
【００４２】
レコード１１２５は、気象情報に関するＷＥＢサイトの検索を示している。検索タイミングになると、フィールド１１２２を参照し、検索場所として指定されているＵＲＬ（ｈｔｔｐ  ：／／＊＊１．ｃｏ．ｊｐ／＊＊１／ｒｓｓ／＊＊１．ｘｍｌおよび、ｈｔｔｐ：／／＊＊１．ｃｏ．ｊｐ／＊＊１／ｒｓｓ／＊＊２．ｘｍｌ）にアクセスして情報を取得する。次に通知条件に記録されている内容に従い、取得した情報（ＲＳＳ）の中の＜ｔｉｔｌｅ＞タグで示される部分の記述内容を検索し、「東京」と共に「注意報」または「警報」の記述が存在する場合に、情報の存在通知および情報の転送を行う。情報の存在通知方法は、フィールド１１２３を参照して決定する。この場合は、鳴動音３（予めインプリメントされている音源の種類）による無線端末２００の鳴動であり、５秒間の鳴動を６０秒間隔で１０回起動する。情報の転送方法はフィールド１１２４を参照して決定する。この場合は電子メールによる転送であり、＊１＠＊１．ｃｏ．ｊｐの宛先に情報を送信する。送信する情報は、検索したＲＳＳの中の通知条件に一致した＜ｔｉｔｌｅ＞タグで示されている部分に記述されている内容と、その階層下にある＜ｄｅｓｃｒｉｐｔｉｏｎ＞タグで示されている部分に記述されている内容であり、それぞれ電子メールの題名と本文に挿入して送信する。
【００４３】
レコード１１２６は、特定企業の株価に関するＷＥＢサイトの検索を示している。検索のタイミングになると、フィールド１１２２を参照し、検索場所に指定されているＵＲＬ（ｈｔｔｐ：／／＊＊２．ｃｏ．ｊｐ／＊＊２／ｒｓｓ／＊＊２．ｘｍｌ）にアクセスして情報を取得する。次に通知条件に記録されている内容に従い、取得した情報（ＲＳＳ）の中の＜ｔｉｔｌｅ＞タグと＜ｄｅｓｃｒｉｐｔｉｏｎ＞タグで示される部分の記述内容を検索する。＜ｔｉｔｌｅ＞タグで示される部分に「（株）＊＊＊」の記述が存在し、その階層下の＜ｄｅｓｃｒｉｐｔｉｏｎ＞タグで示される部分に記述されている数値が５００以上（この場合株価が５００円以上であることを意味する）の場合に、情報の存在通知および情報の転送を行う。情報の存在通知方法は、フィールド１１２３を参照して決定する。この場合情報の存在通知方法は２つあり、一つは回線ボタン（数字の１５はボタンの位置を示す）のＬＥＤ表示である。点灯時の発光色が赤色で、３０秒間隔で１０秒間の点滅をパターン２（予めインプリメントされている点滅パターンの種類）で制御する。尚、数字１のボタン（操作キー２０４）を押下することでＬＥＤ表示が停止する。もう一つの情報の存在通知方法は、ＬＣＤ表示である。検索したＲＳＳの中で通知条件に一致した＜ｔｉｔｌｅ＞タグで示される部分に記述されている内容（この場合は企業名）と、定型文である「の現在の株価は」と、＜ｔｉｔｌｅ＞タグの階層下の＜ｄｅｓｃｒｉｐｔｉｏｎ＞タグで示される部分に記述されている数値（株価）と、定型文である「円です」を繋げて「（株）＊＊＊の現在の株価は＊＊＊円です」と表示する他、株価上昇を示すキャラクタを表示する。尚、数字１のボタン（操作キー２０４）を押下することでＬＥＤ表示がクリアされる。情報の転送方法はフィールド１１２４を参照して決定する。この場合はプリンタへの出力であり、プリンタ１（アドレスとプリンタの機種、適用ドライバが関連付けられている）にプリントアウトする。プリントアウトする情報は、検索したＲＳＳの中で通知条件に一致した＜ｔｉｔｌｅ＞タグの階層下にある、＜ｌｉｎｋ＞タグで示される部分に記述されているリンク先のＵＲＬにアクセスして情報を取得する。リンク先の情報は、例えば株価のチャート図などの画像情報である。
【００４４】
レコード１１２７およびレコード１１２８には、１７２．１６．１．２のＩＰアドレスを持つ無線端末２００に対する、２つの情報の存在通知と情報転送に係わる内容が登録されている。
【００４５】
内容はレコード１１２５、１１２６とほぼ同じであるため特徴的な部分のみ説明する。レコード１１２８、フィールド１１２２の検索場所に指定されている「Ｐｕｓｈ＝」はプッシュ型の情報配信を意味しており、インターネット上のサーバが自発的に配信する情報を受信して検索を行う。レコード１１２７およびレコード１１２８のフィールド１１２２に記録されている通知条件の＜ｃａｔｅｇｏｒｙ＞タグはニュースや新製品情報のカテゴリーを示しており、特定の分野、分類にて通知条件を指定することも可能である。レコード１１２７のフィールド１１２３の情報の存在通知に示す“音声／＜ｄｅｓｃｒｉｐｔｉｏｎ＞／ボタン押下／保留”は、音声呼び出し機能を使った通知を示している。検索したＲＳＳの中で通知条件と一致した＜ｔｉｔｌｅ＞タグの階層下にある＜ｄｅｓｃｒｉｐｔｉｏｎ＞タグが示す部分に記述されている内容を音声合成技術により音声に変換し、ユーザの操作で無線端末２００の保留ボタンが押下されたことを検知した場合に、変換した音声を無線端末２００のスピーカ２０２から出力させる。音声に変換される内容は、例えばニュースの概要である。レコード１１２８、フィールド１１２３で示す情報の存在通知方法も音声呼び出し機能を使った通知を示しているが、この場合は定型分を音声に変換して自動的に通知することを示している。レコード１１２８、フィールド１１２４の“ｕｐｌｏａｄ／１７２．１６．２０．１／＜ｌｉｎｋ＞”は、１７２．１６．２０．１のアドレスを有するサーバ（例えばファイルサーバ）に情報をアップロードすることを示している。検索したＲＳＳの中で、通知条件に一致した＜ｔｉｔｌｅ＞タグの階層下にある＜ｌｉｎｋ＞タグが示す部分に記述されているリンク先のＵＲＬから情報を取得して、サーバにアップロードする。取得する情報は例えばカタログなどの電子データであり、アップロードのための通信プロトコルにＦＴＰ（Ｆｉｌｅ  Ｔｒａｎｓｆｅｒ  Ｐｒｏｔｏｃｏｌ）などを用いる。
【００４６】
図４は、無線端末２００に対する着信に係わる呼制御信号（信号フレームおよびデータフレーム）と無線端末２００が送信する操作に係わる呼制御信号（信号フレーム）の一例を模式的に示したものである。通常の呼制御に使用される呼制御信号の構造を利用することが本実施形態での重要なポイントであり、情報通知を意識せずに設計された汎用の無線端末においても本発明のサービスを受けることができる。尚、本来、呼制御信号のＩＰフレームには、ヘッダー情報等、ＩＰ通信に係る制御情報が付加されるが本実施例では関係ないので説明を省略する。
【００４７】
無線端末２００に対する呼制御信号の信号フレームは、制御種別９０００、発信者番号９００１、無線端末２００の回線ボタンの位置を表すボタン番号９００２、ＬＥＤの各種パラメータを表すＬＥＤ表示９００３、鳴動の起動・停止を表す鳴動９００４、音声呼び出しの起動・停止を表す音声呼び出し９００５、ＬＣＤへの表示データを挿入するＬＣＤ表示９００６からなる。データフレームはデータ種別９００７、符号化方式を表す符号化９００８、符号化データを挿入するデータ９００９からなる。又、無線端末２００が送信する呼制御信号の信号フレームは、制御種別９０００、操作種別９０１０、操作内容９０１１からなる。
【００４８】
図の（ａ）は、情報の存在通知をＬＥＤ表示で行う場合の呼制御信号の信号フレームであり、制御種別は着信、発信者番号は通常の着信では無いためＮＵＬＬ、ＬＥＤ表示を行う回線ボタンは１５番、鳴動９００４および音声呼び出し９００５およびＬＣＤ表示９００６はＯＦＦで、ＬＥＤ表示９００３のみがＯＮになっている。この場合、情報の存在通知があると、回線ボタン１５番のＬＥＤが、パターン２（予めインプリメントされた点滅パターンの種類）、点灯色赤色で点滅する。
【００４９】
（ｂ１）は、情報の存在通知を鳴動で行う場合の呼制御信号の信号フレームであり、ＬＥＤ表示９００３、音声呼び出し９００５、ＬＣＤ表示９００６はＯＦＦで、鳴動９００４のみがＯＮになっている。また、鳴動の場合、信号フレームの他に（ｂ２）で示すデータフレームを利用して、鳴動音を符号化したデータを送信する。データフレームはデータの種別９００７と符号化方式（規格や送信周期）の符号化９００８と符号化されたデータ９００９で構成され、周期的に送信される。
【００５０】
（ｃ１）は情報の存在通知を音声呼び出しで行う場合の呼制御信号の信号フレームであり、ＬＥＤ表示９００３、鳴動９００４、ＬＣＤ表示９００６はＯＦＦで、音声呼び出し９００５のみがＯＮになっている。また、音声呼び出しの場合、信号フレームの他に（ｃ２）に示すデータフレームを利用して、音声合成技術で生成および符号化された情報の存在を示す音声データを送信する。フレームの構成は（ｂ２）と同じだが、種別が異なる。
【００５１】
（ｄ）は情報の存在通知をＬＣＤ表示で行う場合の呼制御信号の信号フレームであり、ＬＥＤ表示９００３、鳴動９００４、音声呼び出し９００５はＯＦＦで、ＬＣＤ表示９００６がＯＮになる。ＬＣＤ表示９００６には、表示する文字データ又はキャラクタデータが挿入される。
【００５２】
（ｅ）は端末の操作を示す呼制御信号の信号フレームである。  制御種別９０００は端末操作を示し、操作種別９０１０は回線ボタン２０１の操作を示し、操作内容９０１１は１０番の回線ボタン２０１が押下されたことを示している。  本信号フレームを用いて、情報の転送を指示する。
【００５３】
図５〜図７は、アクセスポイント１００の情報検索、情報の存在通知、情報の転送処理を示すフローチャートである。尚、本フローは自装置の電源が投入され、ＬＡＮ６００の各端末との通信が可能になった状態から開始され、本フローは複数の無線端末２００に対し同じ処理が行われる。
【００５４】
まず、情報検索開始のタイミングであるか否か（Ｓ１００）と、特定のＷＥＢサイトから情報が配信されたか否か（Ｓ１０１）を判定する。ここで、情報検索開始のタイミングは、一つの無線端末２００および一つの情報検索通知条件に対して、一定時間周期（ここでは、３０秒毎）で生じる。また、特定のＷＥＢサイトから情報の配信とは、図示しない特定のニュース配信サーバからの情報が配信されたか否かを判定する。
【００５５】
情報検索開始のタイミングになった場合（Ｓ１００でＹＥＳ）、登録部１１２の情報検索通知条件フィールド１１２２に示される検索場所（ここではＷｅｂサーバ９００）にアクセスし、Ｗｅｂサーバ９００の情報を取得し、記憶する（Ｓ１０２）。
【００５６】
次に、情報検索通知条件テーブル１１２０の情報検索通知フィールド１１２２の通知条件に従って取得した情報の中から、指定されている記述箇所の検索を行い（Ｓ１０３）、通知条件を満足しているか否かを判定する（Ｓ１０４）。通知条件を満足している場合（Ｓ１０４でＹＥＳ）、検索した情報が新情報もしくは以前検索した情報から更新されているか否かを判定する（Ｓ１０５）。更新されているか否かは、例えばＲＳＳのＰＵＢＤＡＴＥと記された要素の中に記述されている更新日時により確認することができる。
【００５７】
新情報もしくは更新された情報の場合（Ｓ１０５でＹＥＳ）、図６のＳ２００に進む。
【００５８】
特定のＷＥＢサイトから情報が配信された場合（Ｓ１０１でＹＥＳ）、配信された情報に対してＳ１０３以降の処理を行う。
【００５９】
取得した情報を検索した結果、通知条件を満足していない場合（Ｓ１０４でＮＯ）、または通知済みの情報であった場合（Ｓ１０５でＮＯ）、Ｓ１００に戻って次の情報検索開始のタイミングおよび情報の配信を待つ。尚、情報検索開始のタイミングは時間周期の他、特定の年月日、曜日、時刻、もしくは不定期に行われるユーザの端末操作をトリガにしても良い。
【００６０】
図６は、アクセスポイント１００が無線端末２００に情報の存在を通知する処理を示すフローチャートである。
【００６１】
まず、情報検索通知条件テーブル１１２０の、情報の存在通知方法フィールド１１２３を参照する（Ｓ２００）。
【００６２】
次に、情報の存在通知方法が、鳴動音か（Ｓ２０１）、ＬＥＤ表示か（Ｓ２０４）、音声呼び出しか（Ｓ２０７）、ＬＣＤ表示か（Ｓ２１２）の何れであるかを判定する。尚、通知方法が登録されていない場合（Ｓ２１２でＮＯ）、図７のＳ３００に進む。
【００６３】
通知方法が鳴動の場合（Ｓ２０１でＹＥＳ）、情報の存在通知方法フィールド１１２３から鳴動のパラメータを参照し（Ｓ２０２）、無線端末２００のアドレス（または電話番号）と鳴動指示およびパラメータを疑似呼制御部１１１へ通知し（Ｓ２０３）、疑似呼制御を起動する（Ｓ２１７）。
【００６４】
通知方法がＬＥＤ表示の場合（Ｓ２０４でＹＥＳ）、情報の存在通知方法フィールド１１２３からＬＥＤ表示のパラメータを参照し（Ｓ２０５）、無線端末２００のアドレスとＬＥＤ表示の指示およびパラメータを疑似呼制御部１１１へ通知し（Ｓ２０６）、疑似呼制御を起動する（Ｓ２１７）。
【００６５】
通知方法が音声呼び出しの場合（Ｓ２０７でＹＥＳ）、情報の存在通知方法フィールド１１２３から音声呼び出しのパラメータを参照する（Ｓ２０８）。
【００６６】
次に、音声呼び出しのパラメータに従い音声に変換する情報を取得するが（Ｓ２０９）、図５で検索したＲＳＳの中に変換する情報が含まれる場合は取得済みのＲＳＳから情報を抽出する。また、検索したＲＳＳに変換する情報が含まれない場合は、指定のＷＥＢサーバにアクセスして情報を取得する。予め指定された定型文を音声に変換する場合は、情報の存在通知方法フィールド１１２３に定型文が指定され、それを抽出する。
【００６７】
次に、取得した情報を音声データに変換し（Ｓ２１０）、無線端末２００のアドレスと音声呼び出しの指示および音声データを疑似呼制御部１１１へ通知し（Ｓ２１１）、疑似呼制御を起動する（Ｓ２１７）。
【００６８】
通知方法がＬＣＤ表示の場合（Ｓ２１２でＹＥＳ）、情報の存在通知方法フィールド１１２３からＬＣＤ表示のパラメータを参照する（Ｓ２１３）。
【００６９】
次に、ＬＣＤ表示のパラメータに従い表示する情報を取得するが（Ｓ２１４）、図５で検索したＲＳＳの中に表示する情報が含まれる場合は、取得済みのＲＳＳから情報を抽出する。また、検索したＲＳＳに表示する情報が含まれない場合は、指定のＷＥＢサーバにアクセスして情報を取得する。予め指定された定型文を表示する場合は、情報の存在通知方法フィールド１１２３に定型文が指定され、それを抽出する。
【００７０】
次に、取得した情報をＬＣＤへの表示データに変換し（Ｓ２１５）、無線端末２００のアドレスと、ＬＣＤ表示の指示およびパラメータを疑似呼制御部へ通知し（Ｓ２１６）、疑似呼制御を起動する（Ｓ２１７）。
【００７１】
Ｓ２１７で疑似呼制御を起動した後は、図７へ進み情報転送処理を行う。
【００７２】
図７は情報転送処理を示すフローチャートである。本フローは、無線端末２００に特定の操作を割り当てて、ユーザの操作によって行なわれる。
【００７３】
まず、情報の存在通知を行ってから一定時間内（ここでは３分）に、無線端末２００から特定の操作を示す信号フレームを受信したか否かを判定する（Ｓ３００）。一定時間内に信号フレームを受信しなかった場合（Ｓ３００でＮＯ）、図５に戻り次の情報検索開始のタイミングもしくは情報配信を待つ。
【００７４】
一定時間内に無線端末２００の操作を示す信号フレームを受信した場合（Ｓ３００でＹＥＳ）、情報検索通知条件テーブル１１２０を参照し（Ｓ３０１）、情報転送方法フィールド１１２４で指定されている情報取得場所から情報を取得する（Ｓ３０２）。ここで、図５で検索したＲＳＳの中に転送する情報が含まれる場合は取得済みのＲＳＳから情報を抽出する。また、検索したＲＳＳに転送する情報が含まれない場合は、指定のＷＥＢサーバにアクセスして情報を取得する。
【００７５】
次に、転送先がプリンタか（Ｓ３０３）、ファクシミリか（Ｓ３０６）、電子メールか（Ｓ３０９）、外部記憶装置か（Ｓ３１２）の何れであるかを判定する。転送先が登録されていない場合（Ｓ３１２でＮＯ）、図５のＳ１００に戻る。
【００７６】
転送先がプリンタの場合（Ｓ３０３でＹＥＳ）、Ｓ３０２の処理で取得した情報をプリンタに対応したデータに変換して（Ｓ３０４）、プリンタドライバを起動後データを送信する（Ｓ３０５）。情報転送方法フィールド１１２４に示されるプリンタ名には、プリンタ機種に対応したプリンタドライバと、プリンタのアドレスが関連付けられている。
【００７７】
転送先がファクシミリの場合（Ｓ３０６でＹＥＳ）、Ｓ３０２で取得した情報をファクシミリに対応したデータに変換して（Ｓ３０７）、転送先ファクシミリへの自動発信処理とファクシミリデータを送信する（Ｓ３０８）。
【００７８】
転送先が電子メールの場合（Ｓ３０９でＹＥＳ）、メーラを起動して（Ｓ３１０）、Ｓ３０２で取得した情報から、題名、本文、添付ファイルを生成し、情報転送方法フィールド１１２４に指定されている宛先アドレスに送信する（Ｓ３１１）。メール送信のプロトコルには、例えばＳＭＴＰ（Ｓｉｍｐｌｅ  Ｍａｉｌ  Ｔｒａｎｓｆｅｒ  Ｐｒｏｔｏｃｏｌ）を使用する。
【００７９】
転送先が外部記憶装置の場合（Ｓ３１２でＹＥＳ）、Ｓ３０２で取得した情報をファイル化し（Ｓ３１３）、記憶装置に対応したファイル転送プロトコル（例えばＦＴＰ）を起動後、ファイルを送信する（Ｓ３１４）。
【００８０】
転送処理が終了すると、図５に戻り次の情報検索開始のタイミングもしくは情報配信を待つ。
【００８１】
尚、本説明では４つの転送先を示しているが、転送先は他にもありこの限りではない。例えば、プリンタ８００にディスプレイ装置があり、動画や静止画などを転送するために、ディスプレイに表示可能な画像フォーマットに変換して転送する。又、本説明では無線端末２００のユーザ操作をトリガに情報の転送を行う場合を示しているが、情報の存在通知を行った後に自動的に転送しても良い。
【００８２】
図８は複数の無線端末（２００（１）〜２００（ｎ））がアクセスポイント１００に帰属し、アクセスポイント１００がＷｅｂサーバ９００の情報検索を行い、呼制御信号を利用して情報の存在を通知し、データ端末７００やプリンタ８００に情報を転送する動作を示す概略シーケンスを示している。
【００８３】
Ｓ４００で無線端末２００（１）の情報検索を行い、情報検索通知条件を満足するならば、無線端末２００（１）に対する着信を示す呼制御信号の信号フレーム（Ｓ４０１）、およびデータフレーム（Ｓ４０２）で通知を行う。ここで、通知方法がＬＣＤ表示やＬＥＤ表示の場合、データフレームＳ４０２は省略される。
【００８４】
次に、転送する情報を取得する（Ｓ４０３）。ユーザが無線端末２００（１）を操作することで送信される無線端末２００の操作信号を示す信号フレームをアクセスポイント１００が受信すると（Ｓ４０４）、指定されている転送先であるデータ端末７００に情報を転送する（Ｓ４０４）。ここで、転送する情報がＳ４００で検索した情報に含まれるならばＳ４０３は省略され、アクセスポイント１００が自動的に情報を転送する設定になっている場合、Ｓ４０４は省略される。
【００８５】
同様の処理が、無線端末２００（ｎ）まで行われる（Ｓ４００〜Ｓ４１１）。尚、同じ無線端末２００に対して複数の情報検索通知条件がある場合も、条件毎に同様の処理が行われる。
【００８６】
また、一定時間周期で処理を行う場合は、Ｓ４１２からＳ４１７のように同じ無線端末２００および情報検索通知条件毎に本処理が繰り返される。
【００８７】
図９は、無線端末２００の機能ブロック図である。本図では、無線端末２００がアクセスポイント１００へ帰属する毎に、情報検索通知条件および転送条件を登録する場合の機能を示している。
【００８８】
図示するように、無線端末２００は、無線インターフェース部２０５と、ユーザインターフェース部２０６と、呼制御部２０７と、端末機能部２０８と、情報検索通知／転送条件設定部２０９と、登録処理部２１０と、を有する。
【００８９】
無線インターフェース部２０５は、アクセスポイント１００もしくは他の無線端末２００との無線通信を実現するための通信制御を行う。
【００９０】
ユーザインターフェース部２０６は、図１の２０１〜２０４を含み、音声入出力、ＬＣＤ／ＬＥＤ表示、キー入力などを実現する。
【００９１】
呼制御部２０７は、一般的な電話機能を実現する。
【００９２】
端末機能部２０８は、電話機能以外の端末固有の機能全般を実現する。メール機能、アドレス帳機能などが含まれる。
【００９３】
情報検索通知／転送条件設定部２０９は、アクセスポイント１００に対して登録する情報検索通知条件および情報転送条件の内容が、ユーザインターフェース部２０６からユーザによって設定される。
【００９４】
登録処理部２１０は、情報検索通知／転送条件設定部２０９で設定された各条件を、アクセスポイント１００に通知して登録するための処理を実現する。
【００９５】
本実施例では、無線端末２００がアクセスポイント１００へ帰属する毎に、情報検索通知／転送条件設定部２０９および登録処理部２１０によって、無線端末２００のユーザが要求する情報検索通知条件や転送条件を自動的に登録する。本機能は無線端末２００に最初から搭載されているか、もしくはアプリケーションソフトウェアを必要に応じてインストールする。
【００９６】
図１０は、無線端末２００がアクセスポイント１００に対し、情報検索通知条件および転送条件を登録する処理を示すフローチャートである。
【００９７】
まず、Ｓ５００でアクセスポイント１００への帰属処理の起動を待つ。帰属処理の起動は、無線インターフェース部２０５がアクセスポイント１００をサーチして、帰属すべきアクセスポイント１００の存在を確認した時点で開始される。
【００９８】
帰属処理が起動されると（Ｓ５００でＹＥＳ）、Ｓ５０１で認証や暗号鍵の交換を含む帰属処理を実行して成功した後、情報検索通知／転送条件設定部２０５から設定内容を抽出し（Ｓ５０２）、その内容に従ってアクセスポイント１００へ登録を行う（Ｓ５０３）。
【００９９】
登録完了後、Ｓ５００に戻って次の帰属処理の起動を待つ。次の帰属処理とは、無線端末２００の移動により他のアクセスポイント１００へハンドオーバした場合などである。
【０１００】
図１１は、アクセスポイント１００が無線端末２００からの情報検索通知条件および転送条件を登録要求を受け付けて、登録部１１２へ登録する処理を示すフローチャートである。
【０１０１】
まず、Ｓ６００で無線端末２００からの帰属要求を待つ。
【０１０２】
無線端末２００から帰属要求があった場合（Ｓ６００でＹＥＳ）、認証や暗号鍵交換を含む帰属処理を行い（Ｓ６０１）、Ｓ６０２およびＳ６０３で情報検索通知条件および転送条件の登録要求を待つ。
【０１０３】
登録要求があった場合（Ｓ６０２でＹＥＳ）、無線端末２００から通知される登録内容を無線端末２００のアドレスに対応付けて登録し（Ｓ６０４）、Ｓ６００に戻って次の無線端末２００の帰属を待つ。
【０１０４】
帰属処理から予め定められた一定時間を経過しても登録要求が無い場合（Ｓ６０３でＹＥＳ）、Ｓ６００に戻って次の無線端末２００の帰属を待つ。
【０１０５】
図示しないが、無線端末２００から帰属解除処理が行われるか、もしくは一定時間無線端末２００の通信が行われていない場合は、対象の無線端末２００の帰属を解除すると共に、本登録も削除される。これにより情報の検索、通知、転送処理は、帰属している無線端末に対してのみ実行される。
【０１０６】
図１２は、情報検索通知条件および転送条件の登録処理を示すシーケンス図である。
【０１０７】
Ｓ７００で無線端末２００（１）からアクセスポイント１００への帰属要求があると、Ｓ７０１で認証や暗号鍵交換を含む帰属処理が行われ、その後Ｓ７０２で無線端末２００（１）から情報検索通知条件および転送条件がアクセスポイント１００へ通知される。アクセスポイント１００はＳ７０２の内容に従い、Ｓ７０３で登録を行う。
【０１０８】
その後、Ｓ７０４〜Ｓ７０７で示すように、他の無線端末２００の帰属毎に同じ処理が行われる。
【０１０９】
尚、本実施例では、無線端末２００のアクセスポイント１００への帰属処理と合わせて、自動的に情報の検索通知条件を登録する方法を示しているが、ユーザの無線端末２００の操作によって、任意のタイミングで登録および変更、追加を行っても良い。
【０１１０】
このように、アクセスポイント１００は、ユーザが設定した情報検索通知条件に従い、インターネットやイントラネット上の指定された場所にある情報を検索し、検索した情報が情報検索通知条件を満たしている場合のみ、無線端末２００に対し、通常の電話機能で使用する呼制御信号（信号フレームやデータフレーム）を利用して通知し、ユーザが設定した情報転送条件に従い、検索した場所もしくはそれと関連付けられた場所にある情報を取得し、転送先の装置に対応したデータに変換して転送する。これによりユーザは、パーソナルコンピュータ等を起動することなしに、欲しい情報の存在を常時起動している無線端末２００でタイムリーに知ることができ、詳細は後で転送先から取得することができる。アクセスポイントは、帰属している無線端末２００の要求に対してのみ検索処理を行うので処理が分散し、軽微な処理負荷で実行できる。又、特別な検索サーバを必要としない。
【図面の簡単な説明】
【０１１１】
【図１】本発明の実施の形態に係るアクセスポイント１００を含む概略システム構成図である。
【図２】本発明のアクセスポイント１００の機能ブロック図である。
【図３】図２の登録部１１２を模式的に表した図である。
【図４】無線端末２００に対する、着信に係わる信号とデータの一例をフレーム形式で模式的に示した図である。
【図５】アクセスポイント１００の情報検索処理を示すフローチャート図である。
【図６】アクセスポイント１００が無線端末２００に情報の存在を通知する処理を示すフローチャート図である。
【図７】アクセスポイント１００が取得した情報を、特定の外部装置に転送する処理を示すフローチャート図である。
【図８】情報検索、通知、転送に係わるシステム全体の動作例を示す概略シーケンス図である。
【図９】本発明の無線端末２００の機能ブロック図である。
【図１０】無線端末２００がアクセスポイント１００に情報検索通知条件および転送条件を登録する処理を示すフローチャート図である。
【図１１】アクセスポイント１００が無線端末２００からの情報検索通知条件および転送条件の登録要求を受け付ける処理を示すフローチャート図である。
【図１２】情報検索通知条件および転送条件の登録手順を示すシーケンス図である。
【符号の説明】
【０１１２】
１００：アクセスポイント、２００：無線端末、２０１：回線ボタン、２０２：スピーカ、２０３：ＬＣＤ、２０４：操作キー、３００：インターネット／イントラネット、４００：呼制御装置、５００：ルータ／ゲートウェイ、６００：ＬＡＮ、７００：データ端末、８００：プリンタ、９００：Ｗｅｂサーバ、１０００：ファクシミリ、１０１：ＬＡＮインターフェース部、１０２：ブリッジ部、１０３：無線インターフェース部、１０４：ユーザインターフェース部、１０５：検索情報取得部、１０６：検索情報判定部、１０７：転送情報取得部、１０８：情報通知部、１０９：情報加工部、１１０：情報変換部、１１１：疑似呼制御部、１１２：登録部、１１３：情報転送部、２０５：無線インターフェース部、２０６：ユーザインターフェース部、２０７：呼制御部、２０８：端末機能部、２０９：情報検索通知／転送条件設定部、２１０：登録処理部
【図１】
2010154401.tif 000003
【図２】
2010154401.tif 000004
【図３】
2010154401.tif 000005
【図４】
2010154401.tif 000006
【図５】
2010154401.tif 000007
【図６】
2010154401.tif 000008
【図７】
2010154401.tif 000009
【図８】
2010154401.tif 000010
【図９】
2010154401.tif 000011
【図１０】
2010154401.tif 000012
【図１１】
2010154401.tif 000013
【図１２】
2010154401.tif 000014